(57)【要約】【課題】所望の発信源よりコンテンツを受信する際の選択操作の容易化。【解決手段】例えば一時間ごとに、その時間帯において最も継続受信時間の占有度の高かったコンテンツの発信源を検出するようにする。そして、このように検出した発信源を、順次履歴テーブルに対して曜日と時刻に関連付けて記憶していくようにし、これにより形成した履歴情報を参照するようにする。これにより、過去に受信されたコンテンツの発信源についての履歴情報として、よりユーザーの趣向を反映させることができるようになり、ユーザーは、参照されたこのような履歴情報を元に、容易に所望するチャンネルを選択することができるようになる【選択図】　　　　図３
2004040495.tif 000002
【特許請求の範囲】
【請求項１】
コンテンツを発信する複数の発信源のうちから、受信すべき発信源を選択してコンテンツを取得する受信選択手段と、
所定の時間長ごとに、上記受信選択手段により受信したとされる上記発信源について、この時間長内における継続受信時間の占有度を検出する検出手段と、
上記検出手段により検出された受信時間占有度の情報に基づいて、最も継続受信時間占有度が高いとされる発信源に対して、検出時に対応する時間及び曜日を対応づけることにより、履歴情報を生成していく履歴情報生成手段と、
上記履歴情報が記憶される記憶手段と、
上記記憶手段に履歴情報として記憶される発信源のうちから、現時点に対応する時刻及び曜日に対応づけられている発信源、及び／又は、この発信源を基準として、時刻的及び／又は曜日的に周囲に位置するとされる所定範囲内の発信源を参照する履歴情報参照手段と、
を備えることを特徴とする受信装置。
【請求項２】
上記受信選択手段は、
放送システムにおいての上記発信源とされる、放送局に対応するチャンネルのうちから、受信すべきチャンネルを選択してコンテンツを取得するように構成され、
上記検出手段は、
上記放送局のチャンネルについての上記所定時間内における受信時間の占有度を検出するように構成されている、
ことを特徴とする請求項１に記載の受信装置。
【請求項３】
上記受信選択手段は、
ネットワークにおいての上記発信源とされる、サーバのネットワークアドレスのうちから、受信すべきネットワークアドレスを選択して取得することによりコンテンツを取得するように構成され、
上記検出手段は、
上記サーバのネットワークアドレスについての上記所定時間内における受信時間の占有度を検出するように構成されている、
ことを特徴とする請求項１に記載の受信装置。
【請求項４】
上記受信選択手段は、
上記履歴情報参照手段により、所定の規則に従った順序で以て参照される発信源を順次選択してコンテンツを取得する、
ことを特徴とする請求項１に記載の受信装置。
【請求項５】
上記受信選択手段は、
当該受信装置の電源がオンとされるのに応じ、上記履歴情報参照手段により参照された、少なくとも現時点に対応する時刻及び曜日に対応づけられている発信源を選択してコンテンツを取得する、
ことを特徴とする請求項１に記載の受信装置。
【請求項６】
上記検出手段は、
上記所定の時間長としての期間内における一定期間ごとのタイミングで以て、上記受信選択手段により選択されている発信源を識別すると共に、
この識別結果に基づいて、同じ発信源が、上記一定期間ごとに連続して選択されている回数をカウントし、
このカウント結果に基づいて、上記受信選択手段により選択された発信源についての継続受信時間の占有度を検出する、
ように構成されていることを特徴とする請求項１に記載の受信装置。
【請求項７】
コンテンツを発信する複数の発信源のうちから、受信すべき発信源を選択してコンテンツを取得する受信選択処理と、
所定の時間長ごとに、上記受信選択処理により受信したとされる上記発信源について、この時間長内における継続受信時間の占有度を検出する検出処理と、
上記検出処理により検出された受信時間占有度の情報に基づいて、最も継続受信時間の占有度が高いとされる発信源に対して、検出時に対応する時間及び曜日を対応づけることにより、履歴情報を生成していく履歴情報生成処理と、
上記履歴情報を記憶する記憶処理と、
上記記憶処理により履歴情報として記憶される発信源のうちから、現時点に対応する時刻及び曜日に対応づけられている発信源、及び／又は、この発信源を基準として、時刻的及び／又は曜日的に周囲に位置するとされる所定範囲内の発信源を参照する履歴情報参照処理と、
を実行することを特徴とする受信方法。
【発明の詳細な説明】
【０００１】
【発明の属する技術分野】
本発明は、例えばテレビジョン受像機や衛星放送受信機等、所要のコンテンツを受信可能に構成された受信装置、及びこの受信装置における受信方法に関するものである。
【０００２】
【従来の技術】
従来、ＡＶ（Ａｕｄｉｏ　Ｖｉｓｕａｌ）コンテンツの配信形態としては、地上波アナログ放送、各種衛星放送、ＣＡＴＶ（ケーブルテレビ）、インターネット配信等が存在し、このようなコンテンツの配信形態は多様化しつつある。そして、これに伴っては、ユーザーが選択可能なコンテンツの数が飛躍的に増加し、特にデジタル衛星放送においては、１つの衛星で数百ものコンテンツを確保することが可能となっている。
【０００３】
ところで、このように数百ものコンテンツを受信することが可能とされる場合、ユーザーは受信可能なコンテンツのうちから所望のコンテンツを容易に選択することが大変困難となる。
また、一方でこのようなコンテンツの増加に伴い、それぞれのコンテンツは専門化、細分化しており、ユーザーは、毎週特定の時間に同じコンテンツを視聴する場合が多くなっている。
【０００４】
このため、従来においては、ユーザーが所望のコンテンツを容易に選択することが可能となるよう、視聴頻度が高いチャンネルを予め事前に１０個程度登録しておき、選局時にはその登録内容から選局するようにしていた。これは、所謂好み（Ｆａｖｏｒｉｔｅ）選局機能と呼ばれるものである。
この好み選局機能には、ユーザーの選択操作によりチャンネルを事前登録しておく手動のものと、ユーザーが過去に視聴していたラストチャンネル１０個分に相当するものを機器側で自動登録する自動のものとがある。
【０００５】
また、この他の一般的な機能としては、電源をオンにしたときに電源オフ時に視聴していたチャンネルで立ち上げるというラストチャンネル選局機能というものもある。さらに、これに類似した機能として、複数のチューナで同時に受信を行って裏番組を視聴する際、各チューナをそれぞれのラストチャンネルで立ち上げるというチャンネル選局機能もある。
【０００６】
【発明が解決しようとする課題】
このように、従来においては、ユーザーが所望のコンテンツを容易に選択することが可能となるよう、様々な工夫が凝らされているのであるが、これらの従来技術には、以下のような問題点がある。
つまり、上記好み選局機能として、手動の場合は、数百ものチャンネルから所望のチャンネルを探し出してこれを登録するようにされるため、ユーザーには煩雑な操作を強いることとなる。
また、自動の場合においても、現状ではラストチャンネル１０個に相当するものをそのまま設定するようにされているため、ユーザーの意図に反したチャンネルが設定されてしまう場合がある。
【０００７】
さらに、上記したラストチャンネル選局機能も、例えばユーザーが就寝前に視聴していたチャンネルと、起床後よく視聴するチャンネルとは別なものである場合が少なくないと考えられる。このため、ユーザーにとって所望のチャンネルを選局するといった意味ではその機能を十分に果たせないものとなる。
【０００８】
【課題を解決するための手段】
そこで、本発明では以上のような問題点に鑑み、受信装置として以下のように構成することとした。
すなわち、コンテンツを発信する複数の発信源のうちから、受信すべき発信源を選択してコンテンツを取得する受信選択手段と、所定の時間長ごとに、上記受信選択手段により受信したとされる上記発信源について、この時間長内における継続受信時間の占有度を検出する検出手段と、上記検出手段により検出された受信時間占有度の情報に基づいて、最も継続受信時間占有度が高いとされる発信源に対して、検出時に対応する時間及び曜日を対応づけることにより、履歴情報を生成していく履歴情報生成手段とを備えるようにする。
そして、上記履歴情報が記憶される記憶手段と、上記記憶手段に履歴情報として記憶される発信源のうちから、現時点に対応する時刻及び曜日に対応づけられている発信源、及び／又は、この発信源を基準として、時刻的及び／又は曜日的に周囲に位置するとされる所定範囲内の発信源を参照する履歴情報参照手段とを備えるようにした。
【０００９】
また、本発明では、受信方法として以下のようにすることとした。
すなわち、コンテンツを発信する複数の発信源のうちから、受信すべき発信源を選択してコンテンツを取得する受信選択処理と、所定の時間長ごとに、上記受信選択処理により受信したとされる上記発信源について、この時間長内における継続受信時間の占有度を検出する検出処理と、上記検出処理により検出された受信時間占有度の情報に基づいて、最も継続受信時間の占有度が高いとされる発信源に対して、検出時に対応する時間及び曜日を対応づけることにより、履歴情報を生成していく履歴情報生成処理とを実行するようにする。
そして、上記履歴情報を記憶する記憶処理と、上記記憶処理により履歴情報として記憶される発信源のうちから、現時点に対応する時刻及び曜日に対応づけられている発信源、及び／又は、この発信源を基準として、時刻的及び／又は曜日的に周囲に位置するとされる所定範囲内の発信源を参照する履歴情報参照処理とを実行するようにした。
【００１０】
本発明においては、例えば１時間とされる所定時間長ごとに、受信したコンテンツの発信源として、例えば各放送局（チャンネル）の継続受信時間の占有度が検出される。そして、最も占有度の高いとされたチャンネルは、例えばその番号が、検出の行われた時刻及び曜日に対応づけられて記憶手段に対して書き込まれていく。これにより、この記憶手段には、各曜日の各時間帯ごとに最も継続受信時間の占有度が高かったチャンネルが履歴情報として記憶されるようになる。
【００１１】
【発明の実施の形態】
以下、本発明の実施の形態について、本発明の受信装置が、地上波アナログテレビ放送波受信用のテレビジョン受像機として適用された場合を例に挙げて説明する。
図１は、本実施の形態としてのテレビジョン受像機１内部の要部の構成を示すブロック図である。なお、この図では、主に映像信号処理系の要部についてのみ示し、他の部分については省略して示している。
【００１２】
この図に示すテレビジョン受像機１は、ＵＨＦ及びＶＨＦ双方の放送波に対応しており、図示するＵＨＦ／ＶＨＦアンテナ（Ｕ／Ｖアンテナ）２より入力されたＵＨＦ及びＶＨＦ放送波による放送信号を受信可能とされている。
また、このテレビジョン受像機１は、図のように第１チューナ３と第２チューナ４の２つのチューナ装置と、さらに外部からのビデオ信号入力が可能な外部ビデオ入力端子６を備えている。また、その上で、多画面生成部９を備えている。そして、この多画面生成部９により、例えば上記２つのチューナのそれぞれより得られているチャンネルの映像、或いは一方のチューナより得られているチャンネルの映像と上記外部ビデオ入力端子６より入力される映像を１画面上で同時に表示する、いわゆる多画面表示を行うことが可能とされている。
【００１３】
図１において、先ず、第１チューナ３、及び第２チューナ４は、それぞれＵ／Ｖアンテナ２により受信されるＲＦ（Ｒａｄｉｏ　Ｆｒｅｑｕｅｎｃｙ）信号から、後述するメインマイコン１５の制御に基づいた所要のチャンネルを選局する。また、これら第１チューナ３、及び第２チューナ４は、このように選局したＲＦ信号からコンポジットビデオ信号とオーディオ信号とを復調するようにされる。
【００１４】
Ａ／Ｖ（オーディオ／ビデオ）スイッチ５には、上記第１チューナ３、及び第２チューナ４からコンポジットビデオ信号とオーディオ信号が入力される。また、このＡ／Ｖスイッチ５には、図示するように外部ビデオ入力端子６からのコンポジットビデオ信号、オーディオ信号も入力される。
このＡ／Ｖスイッチ５は、後述するメインマイコン１５からの制御に基づき、上記３つの系から入力される信号から、映像・音声出力として出力すべき信号を選択するようにされる。そして、このように抽出した信号のうち、コンポジットビデオ信号を第１映像信号処理部７、第２映像信号処理部８に対して出力し、オーディオ信号をオーディオプロセッサ１２に対して出力する。
なお、この場合、オーディオプロセッサ１２に対しては、主画像として表示する映像に対応するオーディオデータのみを抽出して供給するようにされる。
【００１５】
第１映像信号処理部７、第２映像信号処理部８は、それぞれ入力されたコンポジットビデオ信号を輝度信号、及び色信号に分離し、色信号はさらに色差信号に変換する。そして、この第１映像信号処理部７、第２映像信号処理部８は、これら輝度信号、及び色差信号からフルカラーの映像信号を生成して多画面生成部９に対して出力する。
【００１６】
多画面生成部９は、上記第１映像信号処理部７、第２映像信号処理部８から入力されるそれぞれの映像信号を、後述するメインマイコン１５の制御に基づいた所要の表示態様となるように重畳し、これをビデオプロセッサ１０に出力する。
【００１７】
ビデオプロセッサ１０は、多画面生成部９より入力される映像信号に基づいて、ＣＲＴ（Ｃａｔｈｏｄｅ　Ｒａｙ　Ｔｕｂｅ）１１を駆動するためのＲ，Ｇ，Ｂ信号を生成する。また、このビデオプロセッサ１０は、メインマイコン１５の制御に基づいて、ピクチャーや明るさ、及び画歪みの補正等の表示制御を行う。
ＣＲＴ１１は、ビデオプロセッサ１０より供給されるＲ，Ｇ，Ｂ信号に基づいてそれぞれの電子ビームを走査させ、これにより画像表示を行う。
【００１８】
オーディオプロセッサ１２は、メインマイコン１５からの制御に基づき、入力されたオーディオ信号についての音量、バランス、音質等の調整を行ってこれを出力する。
このオーディオプロセッサ１２により出力されたオーディオ信号は、アンプ１３において増幅され、スピーカ１４を介して音声出力として出力される。
【００１９】
操作部１９には、ユーザー操作のための各種操作子が形成される。
この操作部１９は、操作の行われた操作子に対応する操作信号をメインマイコン１５に供給する。そして、メインマイコン１５はこのように供給された操作信号に応じた所定の制御動作を行う。
これにより、ユーザーは、これらの操作子を操作することにより、当該テレビジョン受像機１に対して所要の動作を指示することができる。
【００２０】
本実施の形態の場合、この操作部１９には、上記第１チューナ３、及び第２チューナ４において受信可能とされる複数の放送チャンネルから、所望の１チャンネルを選択するための選局操作子や、上記外部ビデオ入力端子からのビデオ入力に表示を切り替えるための入力切り替え操作子等が設けられる。
また、本実施の形態の場合、この操作部１９には、多画面表示を行うための操作子として、二画面表示キー、インデックス表示キー、好み選局キーも設けられる。なお、これら二画面表示キー、インデックス表示キー、好み選局キーのそれぞれが操作された場合の動作については後述する。
【００２１】
リモコン（リモートコマンダ）２０ａには、テレビジョン受像機１に各種動作を指示することのできる操作子として、上記操作部１９に設けられる各種操作子とほぼ同等の操作子が配される。
このリモコン２０ａは、操作の行われた操作子に対応する赤外線信号を発光する。そして、リモコン２０ａより発光された赤外線信号は、リモコン受光部２０により受光され、ここでメインマイコン１５に動作を指示するための操作信号に変換される。
これにより、ユーザーは、このリモコン２０ａを介した操作を行うことによっても、上記操作部１９において指示可能な各種動作とほぼ同等の動作を当該テレビジョン受像機１に対して指示することができる。
【００２２】
メインマイコン１５は、テレビジョン受像機１の全体制御を行う。
具体的には、上記のようにしてユーザーインターフェイスとして設けられる操作部１９、及びリモコン２０ａに対する操作に応じた各種制御を行う。また、Ｕ／Ｖアンテナ２より受信される放送波より所定のチャンネルを選局するための、第１チューナ３及び第２チューナ４に対する制御、及び表示すべき映像を生成するためのＡ／Ｖスイッチ５、第１映像信号処理部７、第２映像信号処理部８、多画面生成部９、ビデオプロセッサ１０に対する制御はバス２１を介して行う。
【００２３】
本実施の形態の場合、このメインマイコン１５には、図示はしないが現在の日付、曜日、時刻に関する情報を生成するための時計機能ブロックが設けられている。そして、メインマイコン１５は、各種処理を行う際、必要に応じてこの時計機能ブロックにより生成される現在の日時、曜日等の情報を参照する。
【００２４】
このようなメインマイコン１５に対しては、ＲＯＭ１６が備えられる。このＲＯＭ１６には、メインマイコン１５が上記したような各種処理を実行するために必要なプログラムが格納される。
特に、本実施の形態の場合、このＲＯＭ１６には、後述するようにしてユーザーにより視聴されたチャンネルの履歴情報を記憶するための処理や、この履歴情報を利用した選局処理を実行するために必要なプログラムも格納される。
【００２５】
また、メインマイコン１５に対しては、ＲＡＭ１７も備えられる。このＲＡＭ１７は、メインマイコン１５の作業領域として使用され、ここにはメインマイコン１５が処理を行うにあたり必要な各種データが適宜保持される。
また、本実施の形態の場合、このＲＡＭ１７には、ユーザーにより選局されたチャンネルについて、それぞれが継続して選局されていた時間の占有度を検出するための選局度検出用領域が割り当てられている。
【００２６】
図２は、ＲＡＭ１７の選局度検出用領域の構造を模式的に示した図である。
この図２に示すＲＡＭ１７の選局度検出用領域は、或る時刻（時点）から現在までの間にユーザにより選局されたチャンネルと、そのチャンネルが継続して受信されていた時間の占有度に相当するカウント値を保持するための履歴用領域（履歴用セット）と、現在選局されているチャンネルと、そのチャンネルのカウント値を保持する現時刻用領域（現時刻用セット）とから構成される。
【００２７】
履歴用セットは、チャンネル番号（ｃｈ）を記憶するチャンネル領域と、そのチャンネルのカウント値を記憶するカウント領域とからなり、これら１つのチャンネル領域とカウント領域とを１つの組（１セット）にして、チャンネルの受信時間占有度に関する情報を記憶しておくようにしている。なお、この図２には３セット分の履歴用セットが示されているが、このようなセット数は任意に設定可能である。
【００２８】
また、現時刻セットは、上記履歴用セットとは別領域によって構成され、現在選局されているチャンネルの番号と、そのカウント値とを記憶するカウント領域とから構成される。
【００２９】
そして本実施の形態では、上記図２に示したＲＡＭ１７の選局度検出用領域の履歴用セットに書き込んだチャンネルのカウント値の情報を利用することで、所定の時間帯ごとにおいて、最も継続選局時間の占有度の高かったチャンネルを検出するようにされる。
これにより、この最も選局度の高かったチャンネルを、その時間帯の履歴チャンネルとして、次に説明するＮＶ−ＲＡＭ１８内に設けられる履歴テーブルに対して書き込むようにされる。
なお、本明細書において、上記のような継続選局時間の占有度のことを「選局度」と呼ぶことにする。
【００３０】
上記メインマイコン１５に対しては、さらにＮＶーＲＡＭ１８も備えられる。このＮＶーＲＡＭ１８は不揮発性メモリとされ、メインマイコン１５が各種制御を行うために必要な情報が格納される。
本実施の形態の場合、このＮＶーＲＡＭ１８には、ユーザーによる選局度の高いチャンネルを、曜日と時刻に対応づけて記憶しておくためのチャンネル履歴テーブルも格納されている。
【００３１】
このチャンネル履歴テーブルとしては、例えば模式的には図３に示すような構造を有する。
すなわち、先ず、このチャンネル履歴テーブルには、図示するように月曜から日曜までの各曜日に対応した欄が設けられている。また、これら７つの各欄には、０時から２４時までの２４時間を１時間の時間長で分割した２４個の時間帯に対応した領域がさらに設けられている。
そして、これら各曜日の各時間帯の領域に対しては、上記ＲＡＭ１７内の選局度検出用領域に保持されている内容に基づいて検出された、その時間帯において最も選局度の高かったチャンネルの番号が図のようにそれぞれ書き込まれるようになるものである。なお、このようにして書き込みを行って作成されるチャンネル履歴テーブルについては後述する。
【００３２】
ここで、上記のように構成されるテレビジョン受像機１においては、メインマイコン１５の制御に基づいて多画面生成部９が多画面表示を実行することにより、次の図４〜図６に示すような表示態様による多画面表示を行うことが可能とされている。
【００３３】
すなわち、先ず、このテレビジョン受像機１においては、上記操作部１９、又はリモコン２０ａに設けられる二画面表示キーが操作されるのに応じて、図４に示すような二画面表示を行うことが可能とされる。
この二画面表示とは、この図４に示すように、１つの表示画面中に２つの異なる映像出力を行うようにするものである。そして、本実施の形態の場合、図示する主表示画面として、例えば現在選局されているチャンネルの映像を表示させるようにする。また、副表示画面として、例えば他のチャンネルの映像、もしくは外部ビデオ入力端子より入力した映像とを同時に表示させるようにするものである。
【００３４】
また、このテレビジョン受像機１においては、図１で説明したインデックス表示キーが操作されるのに応じ、図５に示すようなインデックス表示を行うことも可能とされる。
【００３５】
本実施の形態の場合、このインデックス表示としては、先ず図示する主表示画面として、例えば現在選局されているチャンネルの映像を表示させる。そして、図のようにして主表示画面の周囲に複数配される副表示画面（子画面）としては、受信可能な全てのチャンネルのうち、所定の複数のチャンネルの映像を表示させるようにする。
【００３６】
また、好み選局キーが操作されることに応じては、図６に示すような好み選局画面（Ｆａｖｏｒｉｔｅ選局画面）を表示することも可能とされている。
この好み選局画面とは、予め指定された複数の選局候補チャンネルの中から、ユーザーに所望のチャンネルを選局させるための選局画面である。
このため、この好み選局画面には、図示するように主表示画面と共に、予め指定された複数の選局候補チャンネルが示された好み選局リストを表示するようにされる。そして、本実施の形態の場合、これら選局候補チャンネルの映像を表示するための副表示画面も表示するようにされる。
【００３７】
この場合、ユーザーは図示するカーソルを所定操作により移動させることで、このカーソルにより示されるチャンネルの映像を上記副表示画面に表示させることができる。そして、このカーソルを所望のチャンネル番号にあわせた上で、これを決定する操作を行うことにより、このチャンネルの映像を選局チャンネルとして全画面表示させることができる。
【００３８】
そして本実施の形態の場合、上記二画面表示、及びインデックス表示時において表示される副表示画面と、好み選局時において好み選局リスト内に表示させるそれぞれの選局候補チャンネルは、上記ＮＶ−ＲＡＭ１８内に保持されている履歴情報を参照した上で選局・表示させることができる。
【００３９】
本実施の形態のテレビジョン受像機１においては、上述したようにＮＶ−ＲＡＭ１８内に、ユーザーによる選局度の高いチャンネルを曜日と時刻に対応づけて記憶しておくためのチャンネル履歴テーブルが格納される。そして、このチャンネル履歴テーブルに書き込まれたチャンネルの情報を参照することにより、上記図４〜図６において示した多画面表示の画面上に表示すべき映像についての制御を行おうとするものである。
【００４０】
このために、このテレビジョン受像機１では、先ず、上記チャンネル履歴テーブルに書き込むべきチャンネルとして、或る所定時間（例えば１時間ごと）において、最も長い時間、継続して視聴されていたチャンネルを検出するようにされる。そして、このように検出したチャンネルを、その時間帯の履歴チャンネルとして、上記チャンネル履歴テーブルに曜日と時刻に対応づけて書き込むようにされる。すなわち、ここでは、所定時間内において最も長い継続時間にわたり選択されていたチャンネルを最も選局度の高いチャンネルとしてチャンネル履歴テーブルの対応する領域に書き込むようにしている。
【００４１】
このため、本実施の形態では、一定周期（例えば２分間隔）ごとに、選局チャンネルの判別を行い、その判別結果から、それぞれのチャンネルが連続して選局された回数をカウントすることにより、それぞれのチャンネルの選局度の検出を行うようにしている。
【００４２】
図７は、上記図２に示したＲＡＭ１７内に設けられる選局度検出用領域を用いて、所定時間内において、チャンネルの選局度についてのカウント値を保持する際の動作例を模式的に示した図である。
この図に示す選局度検出用領域に対する情報更新のための基本的な動作としては、先ず、上記のようにして選局チャンネルを判別したら、そのチャンネルの連続性を示すカウント値を現時刻用セット内に書き込むようにする。そして、選局チャンネルが一定周期後も引き続き選局されていたら現時刻用セット内のカウント値を１つずつインクリメントするようにする。
【００４３】
このようにして選局チャンネルの連続性、すなわち選局度についてのカウントを行うようにする。その上で、このチャンネルの情報を、順次履歴用セットに移すようにする。そして、このように履歴用セット内に書き移した情報を、カウント値が多い順に、この履歴用セットにおける左端から並び替えることにより、最も選局度の高い履歴チャンネルを検出する。
【００４４】
この図において、例えば或る時点において、ＲＡＭ１７の履歴用セットに記憶されている記録内容が図７（ａ）に示すような状態であったとする。すなわち、８チャンネル「８ｃｈ」のカウント値が「４」、１０チャンネル「１０ｃｈ」のカウント値が「３」、６チャンネル「６ｃｈ」のカウント値が「２」であったとする。
【００４５】
この状態において、現在、初めて４チャンネル「４」が選局されたと判別された場合、図７（ａ）に示すように、現時刻用セット内のチャンネル領域には「４」が書き込まれ、カウント領域にはカウント値として「０」が書き込まれる。つまり、ここでは４チャンネルが初めて判別されたので、４チャンネルが連続して選局された回数を示すカウント値は「０」となる。
【００４６】
そして、この図７（ａ）に示す状態から、例えば２分間隔に対応する次の周期に至ったときにも、チャンネル判別動作によって４チャンネルが再び判別されると、現時刻用セットのカウント値が１つインクリメントされ「１」となる。つまり、周期ごとの検出に対応して、４チャンネルの受信が１回連続したことを示している。なお、このようにして周期ごとの検出が行われるたびに、履歴用セット内の並び替えが行われるがこれについては、次に述べる。
そして、上記した現時刻用セットにおける４チャンネルのカウント値が「１」とされる状態において、次の周期に至ったときにも、４チャンネルが判別されたとすると、現時刻用セットのカウント値はさらに１つインクリメントされ、図７（ｂ）に示すようにして「２」となる。このカウント値「２」は２周期、連続して４チャンネルが選択されていることを示すことになる。
【００４７】
ここで、上記のようにして現時刻用セットのカウント値が「２」となった場合、図示するように、履歴用セットに記憶されている６チャンネルのカウント値と、現時刻用セットに記憶されている４チャンネルのカウント値とが同数となる。そして、このようにカウント値が同数となった場合、この現時刻用セットの情報と、履歴用セット内の情報をカウント値が多い順に並び替えを行う際に、新たに現時刻セットでカウント値がインクリメントされた方のチャンネルを優先させて並び替えるようにする。すなわち、この場合、図７（ｃ）に示すようにして、６チャンネルの情報よりも、今回新たにカウント値がインクリメントされた４チャンネルの情報のほうが優先順位が高いとして並び替えを行うようにする。
なお、この図７（ｃ）に示したようにして、並び替えにより履歴用セット内にて保持不能となった６チャンネルの情報については破棄するものとする。
【００４８】
続いて、この図７（ｃ）に示した状態のもとで、チャンネル判別動作によって既に判別されたことのある１０チャンネルが再び選局されていると判別したとする。
この場合も、先ず、現時刻用セット内のチャンネル領域にはチャンネルの情報「１０」が書き込まれることになるが、ここでのチャンネルの番号と同一となる番号が履歴用セット内に書き込まれている場合は、この現時刻用セット内のカウント値の情報としては、履歴用セット内の１０チャンネルのカウント値を読み出して書き込むようにする。このため、この場合の現時刻用セットには、図７（ｄ）に示すようにして、チャンネル番号として「１０」が書き込まれると共に、そのカウント値として「３」が書き込まれるようになる。
【００４９】
さらに、この図７（ｄ）に示す状態から、再びチャンネル１０が識別されたとする。この場合、先ず現時刻用セット内に書き込まれているチャンネル１０のカウント値を、１つインクリメントして、図７（ｅ）に示すように「４」が書き込まれることになる。
ここで、現時刻用セットの１０チャンネル「１０」のカウント値が「４」となることによっては、このチャンネル１０のカウント値と、図７（ｄ）の状態では最もカウント値の多かったチャンネル８のカウント値とが同数となる。
上述もしたように、このようにカウント値が同数となった場合、履歴用セット内の情報を並び替える際には、新たにカウント値のインクリメントされた方を優先するようにされる。
このため、この場合の並べ替えでは、図７（ｅ）に示すようにして、チャンネル１０の情報と、チャンネル８の情報とを入れ替えて並び替えるようする。
【００５０】
このような動作により、このＲＡＭ１７内の履歴用セット内には、所定時間内において選局されたそれぞれのチャンネルの選局度についてのカウント値が更新されていくようになる。そして、これらそれぞれのチャンネルの情報は、この履歴用セット内において、順次、左端からカウント値が多い順に並び替えられるようになる。
これにより、この履歴用セット内における左端に記憶されているチャンネルを、例えば１時間とされる所定時間ごとに見ることで、各時間帯において最も多く視聴されていたとされる履歴チャンネルを検出することができるようになる。
なお、上記履歴用セット内の情報は、所定時間ごとにリセットされるものであることはいうまでもない。
【００５１】
上記図７において説明したようなチャンネルの選局度を検出する動作を実現するために、図１に示したメインマイコン１５が行うべき処理動作を、図８のフローチャートに示す。
なお、この図８に示す処理動作は、メインマイコン１５により、現在選局されているチャンネルについて一定周期ごとの認識が行われるごとに実行されるものである。そして、この場合の一定周期としては、上述もしたように、例えば２分ごとの周期とされる。
【００５２】
この図８において、メインマイコン１５は、ステップＳ１０１にて、今回認識されたチャンネルが、前回認識されたチャンネルと同一であるかをみることにより、同一チャンネルが連続して選局されているか否かの判別を行う。
このステップＳ１０１において、同一のチャンネルが選局されていたと判別された場合は、ステップＳ１０５に進み、現時刻用セットに書き込まれているカウント値を１つインクリメントする処理を行う。このステップＳ１０５の処理を実行すると、後述するステップＳ１０７に進む。
【００５３】
一方、上記ステップＳ１０１において、同一チャンネルが連続して選局されていなかったと判別した場合には、ステップＳ１０２に進み、現在選局されているチャンネルの番号を、現時刻用セット内に書き込む処理を行う。
そして、続くステップＳ１０３においては、このようにして書き込んだ現在選局されているチャンネルの番号が、履歴用セット内にあるか否かの判別を行う。
【００５４】
このステップＳ１０３において、今回識別されたチャンネル番号が上記履歴用セット内になかった場合には、ステップＳ１０６において、現時刻用セット内のカウント値として「０」を書き込むようにする。
すなわち、この処理動作としては、例えば先に説明した図７（ａ）の状態において、図のように現時刻用セット内のチャンネル４に対応するカウント値として「０」を書き込む動作に対応するものである。
【００５５】
一方、上記ステップＳ１０３において、今回識別されたチャンネル番号が上記履歴用セット内にある場合は、ステップＳ１０４において、該当する履歴用セット内のチャンネルのカウント値を読み出して、そのカウント値を現時刻用セット内のカウント領域に書き込むようにする。
この場合の処理動作は、例えば先に説明した図７（ｄ）の状態において、現時刻用セット内のチャンネル１０に対応するカウント値として、「３」を書き込む動作に対応する。
【００５６】
続くステップＳ１０７においては、履歴用セット内に書き込まれているそれぞれのチャンネルの情報を、カウント値の多い順に左詰めで並び替える処理を実行する。
すなわち、このステップＳ１０７における処理操作としては、先ず、現時刻用セット内のチャンネルの情報も含めて、それぞれのカウント値を比較するようにする。そして、この比較結果に応じて、それぞれの情報を、履歴用セットにおける左端から、カウント値が多い順に並び替えるようにする。
【００５７】
この場合、例えば先に図７（ｂ）において説明したように、現時刻用セット内のカウント値が、履歴用セット内のカウント値と同数、或いはそれ以上となっているときは、図７（ｃ）に示すように、この現時刻用セット内の情報を、履歴用セット内の対応する順位の位置にコピーするようにされる。
また、この場合、例えば図７（ｅ）で説明したようにして、現時刻用セット内のチャンネルが、既に履歴用セット内に書き込まれている際は、（この場合、並び替え直前には、チャンネル１０に対応するカウント値として、現時刻用セット内のカウント値「４」と、履歴用セット内のカウント値「３」とが一時的に存在するため）現時刻用セット内のカウント値のみを比較対象とするようにされる。このようにして、履歴用セット内において、それぞれの情報を左端からカウント値が多い順に並び替えて処理動作を終了する。
【００５８】
このようにして、ＲＡＭ１７に設けられる履歴用セット内には、常に、所定時間において選局されたチャンネルのカウント値が、左端からカウント値が多い順に並び替えられるようになる。
そして、上述もしたように、この履歴用セット内における左端に記憶されているチャンネルを、例えば１時間とされる所定時間ごとに見ることで、その１時間の時間帯において最も多く視聴されていたとされる「履歴チャンネル」を検出するようにされる。
【００５９】
本実施の形態のテレビジョン受像機１において、このようにして一時間ごとに認識される「履歴チャンネル」は、その都度、図１において説明したチャンネル履歴テーブル内の対応する時間、及び曜日に対して書き込まれていく。
そして、これにより、このチャンネル履歴テーブル内には、図３に示したようにして、各曜日の各時間帯において最も多く視聴されていたチャンネルについての履歴情報が生成されるようになる。
【００６０】
なお、ここでは、チャンネル履歴テーブルに履歴チャンネルを書き込むタイミングとして、一時間ごとに書き込むこととしたが、この他にも、例えば当該テレビジョン受像機１の電源がオフとされたときや、外部ビデオ入力端子からの入力に切り替えられたとき、或いは時計機能ブロックに対して現在時刻の情報が設定し直されたとき等のタイミングでも行うものとする。
【００６１】
このようにしてチャンネル履歴テーブル内に書き込まれた履歴チャンネルの情報を利用して、本実施の形態のテレビジョン受像機１では、図４において説明した二画面表示並びに図５で説明したインデックス表示画面における副表示画面として表示するチャンネル、及び図６で説明した好み選局リスト内に表示する候補チャンネルのそれぞれについての選局制御を行うようにしている。
【００６２】
すなわち、例えば、図４の二画面表示の場合には、このチャンネル履歴テーブルから読み出した、例えば現在の時刻から見て同じ曜日の同じ時間帯となる履歴チャンネルに基づいたチャンネル選局を行い、これを副表示画面として表示させるようにする。このようにすれば、現在時刻と同じ曜日の同じ時間帯において最も選局度の高かったチャンネルの映像を副表示画面として表示することができる。すなわち、ユーザーの趣向に合致した適切なチャンネルの映像を副表示画面からユーザーに提示することができるようになる。
【００６３】
また、図５のインデックス表示画面の場合では、上記チャンネル履歴テーブルから、所定の読み出し順序に従って複数の履歴チャンネルを読み出すようにし、これらを読み出した順に副表示画面として表示させるようにする。
この場合、上記チャンネル履歴テーブルからの履歴チャンネルの読み出し順序として、例えば図９に示すような順序に従って読み出した履歴チャンネルを、それぞれの副表示画面として表示していくことが考えられる。
つまり、この場合はチャンネル履歴テーブル内における（現曜日の）現時刻の時間帯の履歴チャンネルを基準として、先ず同曜日の過去となる直近の時間帯の履歴チャンネル、続いて同曜日の未来となる直近の履歴チャンネルを交互に読み出していくようにする。そして、読み出した履歴チャンネルに応じた選局を順次行うことにより、それぞれの副表示画面に対して対応する映像を表示していくよういするものである。この場合、それぞれの副表示画面に表示される映像としては数秒程度の動画表示が可能とされる。
【００６４】
また、さらに図６で説明した好み選局画面の場合では、例えば上記図９に示したような順序で読み出した履歴チャンネルの情報を、好み選局リスト内の候補チャンネルとして表示させるようにする。
なお、この場合、図示するカーソルにより示されているチャンネルに応じた選局を行うことにより、このチャンネルより得られている映像を副表示画面として表示させるようにもする。
【００６５】
このようにして、チャンネル履歴テーブル内に保持されている履歴チャンネルを参照した各種多画面表示を行うために、このテレビジョン受像機１では、図１において説明した操作部１９に備えられる二画面表示キー、又はインデックス表示キー、又は好み選局キーが操作されたことに応じて、図１２に示すような処理動作を行うようにされる。
【００６６】
この図１２において、先ず、メインマイコン１５は、図示するステップＳ２０１において、図１で説明した時計機能ブロックに時刻情報が設定されているか否かの判別を行う。
時刻情報が設定されていないと判別した場合には、ステップＳ２０７に進み、上記したような多画面表示時におけるチャンネル選択に代行するチャンネル選択処理を行って画面表示を制御する。
【００６７】
つまり、この場合、現在時刻を表す時刻情報が設定されていないことにより、上記のようにして曜日と時刻とに対応づけて保持してある各履歴チャンネルの情報が無意味な情報となってしまう可能性がある。このため、このステップＳ２０７においては、代行するチャンネル選択処理として、例えばラストチャンネルに相当するチャンネル等を選局して、これに基づいた画面表示を行うようにされるものである。
【００６８】
一方、上記ステップＳ２０１において、時刻情報が設定されていると判別した場合には、ステップＳ２０２に進む。そして、ステップＳ２０２においては、ＮＶ−ＲＡＭ１８にアクセスし、先ず、チャンネル履歴テーブル内の基準となる曜日、時間帯の履歴チャンネルを参照する。例えば、図９であれば網掛した時間帯の履歴チャンネルを参照するようにされる。
【００６９】
続いて、ステップＳ２０３においては、上記ステップＳ２０２で参照した時間帯に、履歴チャンネルが書き込まれているか否かの判別を行う。
参照した時間帯に履歴チャンネルが書き込まれていないと判別した場合は、図示するようにステップＳ２０８に進み、上記説明した所定の読み出し順序に従って、次の時間帯、例えば参照した時間帯の前後の時間帯、すなわちユーザの趣向に最も近いと予想されるチャンネルを参照するようにされる。そして、その後に再びこのステップＳ２０３の判別処理を行うようにされる。
また、参照した時間帯に履歴チャンネルが書き込まれていると判別した場合はステップＳ２０４に進む。
【００７０】
ステップＳ２０４においては、参照した時間帯に書き込まれている履歴チャンネルが、有効なデータであるか否かの判別を行う。
すなわち、このステップＳ２０４においては、今回参照した時間帯に書き込まれている履歴チャンネルの番号が、過去に参照されて既に読み出されている履歴チャンネルの番号と同一である等、参照した履歴チャンネルが有効でない場合を検出するものである。
【００７１】
このステップＳ２０４において、参照した履歴チャンネルが有効でないと判別した場合は、図示するようにステップＳ２０８に進み、上記したようにして次の時間帯の履歴チャンネルを参照するようにされる。
【００７２】
一方、参照した履歴チャンネルが有効であると判別した場合は、ステップＳ２０５に進み、対応する履歴チャンネルをチャンネル履歴テーブルから読み出す処理を実行する。
【００７３】
続くステップＳ２０６においては、これまでに読み出した履歴チャンネルが、必要とされる数に達したか否かの判別を行う。
例えば、図５に示したインデックス表示画面の場合であれば、副表示画面として表示すべき、例えば１２個の履歴チャンネルのうち、最後の１２個目となる履歴チャンネルを既に読み出したか否かの判別を行う。また、例えば図６に示す好み選局画面の場合であれば、好み選局リスト内に表示すべき、例えば５つの履歴チャンネルを既に読み出したか否かの判別を行うようにする。
このステップＳ２０６において、未だ必要とされる数の履歴チャンネルを読み出していないと判別された場合は、図示するようにステップＳ２０８に進んで再び次の時間帯を参照するようにされる。
そして、必要とされる数の履歴チャンネルを読み出したと判別した場合は、この図に示す処理動作を終了する。
【００７４】
なお、上記図４、図５に示した副表示画面に表示すべきチャンネルの選局、或いは図６に示した選局候補チャンネルの表示を実現する場合は、上記図１２に示した処理動作により読み出した履歴チャンネルに基づいて、所要の表示制御処理を行うようにすれ良い。
【００７５】
以上、本実施の形態のテレビジョン受像機１について説明した。
上述もしたように、本実施の形態のテレビジョン受像機１においては、現在選局されているチャンネル番号が、例えば２分程度の一定周期ごとに識別され、この識別結果に基づいてそれぞれのチャンネルの選局度がカウントされていく。
そして、選局度の高い上位のチャンネルは、例えば一時間とされる所定時間ごとにチャンネル履歴テーブルに対して書き込まれていき、これによりこのチャンネル履歴テーブルには、各時間帯で最も選局度の高かったチャンネルが、履歴チャンネルとして曜日と時間帯に関連付けられて記憶されていくようになる。
【００７６】
このようにして、履歴チャンネルの情報が曜日・時間帯に対応づけられた状態で記憶されるようになることで、この履歴情報としては、ユーザーの趣向が反映されるようになる。そして、このような履歴チャンネルが保持されるチャンネル履歴テーブルを、例えばチャンネル選局時において参照することによっては、ユーザーの趣向に合致した適切な履歴チャンネルを、選局を行う上での候補チャンネルとしてユーザーに提示することができるようになる。
【００７７】
なお、本実施の形態では、本発明の受信装置が、地上波アナログ放送に対応したテレビジョン受像機として適用される場合を例に挙げたが、本発明としては、これ以外にも、例えばＢＳ及び／又はＣＳの衛星放送に対応する衛星放送受信機や、地上波デジタル放送に対応するデジタルテレビジョン受像機等、他のコンテンツ受信装置にも好適に適用できる。
【００７８】
或いは、本発明の受信装置を、例えばインターネットなどのネットワークを介した通信を行うことによりＡＶ（Ａｕｄｉｏ　Ｖｉｓｕａｌ）データ等のコンテンツを受信することができる情報処理装置に適用することも可能である。
例えばここで、曜日や時間帯ごとに決められたコンテンツを放送するようにして、コンテンツ提供を行うサーバ装置がネットワーク上に存在するとする。そして、上記した本実施の形態としての情報処理装置によっては、例えばインターネットを介して、このサーバ装置のＵＲＬを指定してアクセスする。そして、このサーバに保持されているコンテンツを受信するようにされる。
そして、このような情報処理装置により、上記実施の形態に従って、受信したＵＲＬについての履歴情報を作成して保持するようにされる。これにより、サーバ装置が提供するコンテンツからユーザの趣向に合致した適切なコンテンツを提示するといったことが可能となる。
【００７９】
つまり、上記したことから分かるように、本発明の受信装置が受信対象とするコンテンツとしては、実施の形態で例示したようなアナログテレビ放送システムにおける各放送局の番組（放送信号）のみに限定されるものではない。
つまり、本発明における受信装置としては、何らかのコンテンツをある所定の伝送形態により発信（送信、送出）する機能を有している発信源から、このコンテンツが発信するコンテンツを受信可能でありさえすればよいものである。そして、これまでに説明した例の場合であれば、発信源を特定するものとして、上記テレビジョン放送の場合には、放送局のチャンネルということになる。また、ネットワーク上におけるサーバ装置であれば、そのサーバ装置に与えられたネットワークアドレスということになる。例えばインターネットであれば、ＵＲＬなどがこれにあたる。
【００８０】
また、本実施の形態では、ＮＶ−ＲＡＭ１８内に格納されるチャンネル履歴テーブルを参照する際の順序の例として、図９に示したように、現時刻の時間帯に対して、先ず同曜日の過去となる直近の時間帯の履歴チャンネル、続いて同曜日の未来となる直近の履歴チャンネルを交互に参照していく場合を挙げた。
しかしながら、このようにしてチャンネル履歴テーブルを参照する際の順序の例としては、この他、以下のようなものが挙げられる。
【００８１】
先ず、一例としては、図１０に示すようにして、現時刻（現曜日における）を中心として、同時間帯の曜日的に前又は後となる履歴チャンネルを、曜日の近い順に参照していき、全ての同時間帯の履歴チャンネルを参照し終えた時点で、時間的に前又は後となる時間帯に順次移行して参照していくようにしてもよい。
【００８２】
或いは、図１１に示すように、現時刻を中心として、１つ前又は１つ後となる時間帯、又は１つ前又は１つ後となる曜日の履歴チャンネルから順に、図のようにして外側に向かって渦巻き状に参照していくようにしてもよい。
なお、これら図９〜図１１に示したそれぞれの指定された範囲の時間帯を参照し終えた後、再び最初に参照した時間帯に戻るようにすることにより、この範囲の履歴情報を所謂カルーセル状にループして参照させることも可能である。
【００８３】
このように、本実施の形態では、現時刻に対応する曜日、時刻に対応づけて得られる履歴チャンネルを基準にして、その履歴チャンネルの時間的、又は曜日的に近い位置にある履歴チャンネルから順に参照するようにしている。これにより、ユーザの趣向にあったチャンネルを高確率で提示することが可能になる。
なお、これら図９〜図１１において例示したチャンネル履歴テーブルの参照順序はあくまでも一例に過ぎず、これに限定されるものでないことは言うまでもない。
【００８４】
また、本実施の形態では、チャンネル履歴テーブルから読み出した履歴チャンネルの情報を、図４〜図６に示したような多画面表示時にのみ利用する場合を例に挙げたが、このように読み出した履歴チャンネルの情報を、所謂ラストチャンネル表示時に利用するようにしてもよい。つまり、当該テレビジョン受像機１が電源オンとされたときに、チャンネル履歴テーブル内に保持されている所定の履歴チャンネルに対応する映像で立ち上げるようにするものである。
【００８５】
このために、当該テレビジョン受像機１では、先ず電源がオンとされるのに応じて、先に説明した図１２に示す処理動作を開始するようにする。そして、この図に示す処理動作のうち、ステップＳ２０２の処理として、例えばチャンネル履歴テーブル内の現時刻に対して同曜日・同時間帯となる履歴チャンネル等の所定の履歴チャンネルを参照するようにする。
【００８６】
これにより、図示するステップＳ２０５においてはこの履歴チャンネルが読み出されるようになり、これに応じたメインマイコン１５の制御が行われて、表示画面上にはこの履歴チャンネルに対応する映像が表示されるようになる。
このようにして、ラストチャンネル表示時にチャンネル履歴テーブル内に保持されている履歴情報に基づいたチャンネルを選局するようにすることで、このラストチャンネル表示時においても、ユーザーの趣向に合致したチャンネルの映像を表示することができるようになる。
【００８７】
【発明の効果】
以上で説明したように、本発明では、所定時間長ごとに、受信したコンテンツの発信源として、例えば各放送局（各チャンネル）の選局度を検出するようにしている。そして、この検出時において最も選局度の高いとされたチャンネルの番号を、上記検出の行われた時刻及び曜日に対応づけて履歴テーブルに対して書き込むようにしている。これにより、この履歴テーブルに対し、各曜日の各時間帯で最も選局度の高いチャンネルを、履歴情報として記憶するようにしている。
【００８８】
このようにして、最も選局度の高かったチャンネルの番号を各曜日及び各時刻に対応づけて記憶していき、これにより形成される履歴情報を参照し、その参照結果をコンテンツの受信時に利用することで、ユーザーの趣向をより反映させることができるようになる。
これにより、ユーザーは、従来のように煩雑な操作を強いられることなく、所望するコンテンツを容易に得ることができるようになる。
つまり、本発明によっては、受信するコンテンツを選択する際のユーザーインターフェイスを、利便性及び操作性の高いものとすることができるようになるものである。
【図面の簡単な説明】
【図１】本発明の実施の形態としてのテレビジョン受像機内部の要部の構成を示すブロック図である。
【図２】実施の形態としてのテレビジョン受像機内に備えられるＲＡＭ内に保持される情報について説明する図である
【図３】チャンネル履歴テーブルの構造例を示した図である。
【図４】多画面表示態様の一例を示した図である。
【図５】多画面表示態様の一例を示した図である。
【図６】多画面表示態様の一例を示した図である。
【図７】履歴チャンネルを認識するための動作を模式的に示した図である。
【図８】履歴チャンネルを認識するための処理動作を示したフローチャートである。
【図９】チャンネル履歴テーブル内の履歴チャンネルを参照する順序について説明する図である。
【図１０】チャンネル履歴テーブル内の履歴チャンネルを参照する順序について説明する図である。
【図１１】チャンネル履歴テーブル内の履歴チャンネルを参照する順序について説明する図である。
【図１２】上記チャンネル履歴テーブル内に保持される履歴チャンネルを参照する際の処理動作について説明するフローチャートである。
【符号の説明】
１　テレビジョン受像機、２　Ｕ／Ｖアンテナ、３　第１チューナ、４　第２チューナ、５　Ａ／Ｖスイッチ、６　外部ビデオ入力端子、７　第１映像信号処理部、８　第２映像信号処理部、９　多画面生成部、１０　ビデオプロセッサ、１１　ＣＲＴ、１２　オーディオプロセッサ、１３　アンプ、１４　スピーカ、１５　メインマイコン、１６　ＲＯＭ、１７　ＲＡＭ、１８　ＮＶ−ＲＡＭ、１９　操作部、２０　リモコン受光部、２０ａ　リモコン、２１　バス
【図１】
2004040495.tif 000003
【図２】
2004040495.tif 000004
【図３】
2004040495.tif 000005
【図４】
2004040495.tif 000006
【図５】
2004040495.tif 000007
【図６】
2004040495.tif 000008
【図７】
2004040495.tif 000009
【図８】
2004040495.tif 000010
【図９】
2004040495.tif 000011
【図１０】
2004040495.tif 000012
【図１１】
2004040495.tif 000013
【図１２】
2004040495.tif 000014